(57)【特許請求の範囲】
【請求項１】
建物の建設工事において作業を行う作業者を支援するための情報提供システムであって、
情報を記憶する情報記憶部と、
前記作業者によって利用される作業者端末と、
該作業者端末と通信可能な通信装置と、を備え、
前記作業者端末は、前記作業者端末の位置情報を前記通信装置に向けて送信するように構成されており、
前記情報記憶部は、
前記建設工事に関する前記情報として前記建物別に提供された工事関連情報と、
前記建設工事中の前記作業に関する前記情報として該作業別に提供された作業支援情報と、
前記作業別に、前記作業の問題に関する問題情報と、を記憶しており、
前記工事関連情報は、前記建設工事の各作業が行われる時点を示す工事スケジュールと、位置情報に基づいて前記建設工事に関する作業場所を特定可能な図面と、を含み、
前記通信装置は、
前記作業者が参加する前記建設工事に関する前記工事スケジュールと前記図面とを前記情報記憶部から読み出す処理と、
前記情報記憶部から読み出した前記工事スケジュールに基づいて当日の作業を抽出し、抽出された前記作業のうち、前記作業者端末から受信した前記位置情報と前記図面とに基づいて特定される作業場所に対応する前記作業を特定する処理と、
前記情報記憶部に前記問題情報が所定数以上記憶されている前記作業を特定したときに、特定した前記作業と対応する前記作業支援情報を前記情報記憶部から抽出する処理と、
抽出した前記作業支援情報を前記作業者端末に向けて送信する処理と、を実行するように構成されていることを特徴とする情報提供システム。
【請求項２】
建物の建設工事において作業を行う作業者を支援するための情報提供システムであって、
情報を記憶する情報記憶部と、
前記作業者によって利用される作業者端末と、
該作業者端末と通信可能な通信装置と、を備え、
前記作業者端末は、前記作業の様子を撮影した画像情報と、前記作業者端末の位置情報と、を前記通信装置に向けて送信するように構成されており、
前記情報記憶部は、
前記建設工事に関する前記情報として前記建物別に提供された工事関連情報と、
前記建設工事中の前記作業に関する前記情報として該作業別に提供された作業支援情報と、を記憶しており、
前記工事関連情報は、前記建設工事の各作業が行われる時点を示す工事スケジュールと、位置情報に基づいて前記建設工事に関する作業場所を特定可能な図面と、を含み、
前記作業支援情報は、前記通信装置が過去に受信した前記画像情報を含み、
前記通信装置は、
前記作業者が参加する前記建設工事に関する前記工事スケジュールと前記図面とを前記情報記憶部から読み出す処理と、
前記情報記憶部から読み出した前記工事スケジュールに基づいて当日の作業を抽出し、抽出された前記作業のうち、前記作業者端末から受信した前記位置情報と前記図面とに基づいて特定される作業場所に対応する前記作業を特定する処理と、
特定した前記作業と対応し、かつ、予め設定された条件を満たす前記過去に受信した前記画像情報を前記作業支援情報として前記情報記憶部から抽出する処理と、
抽出した前記作業支援情報を前記作業者端末に向けて送信する処理と、を実行するように構成されていることを特徴とする情報提供システム。
【請求項３】
前記情報記憶部は、特定の施工部材が用いられる前記作業を含む前記建設工事に関する前記工事関連情報と、前記特定の施工部材に関する前記作業支援情報と、を記憶しており、
前記通信装置は、前記作業を特定する処理において前記特定の施工部材が用いられる前記作業を特定したとき、前記作業と対応する前記作業支援情報を抽出する処理では、前記特定の施工部材に関する前記作業支援情報を抽出することを特徴とする請求項１又は２に記載の情報提供システム。
【請求項４】
前記作業者端末は、前記建設工事の実施期間中、前記建設工事の進捗度合いを示す状況情報を前記通信装置に向けて定期的に送信し、
前記通信装置は、前記進捗度合いを示す前記状況情報を受信したとき、前記作業を特定する処理において、前記進捗度合いを示す前記状況情報を受信した時点後に行われる前記作業を特定することを特徴とする請求項１乃至３のいずれか一項に記載の情報提供システム。
【請求項５】
前記作業者端末は、前記作業者が装着可能なデバイスに接続され、該デバイスから前記位置情報を取得し、取得した前記位置情報を前記通信装置に向けて送信することを特徴とする請求項１乃至４のいずれか一項に記載の情報提供システム。
【請求項６】
情報を記憶する情報記憶部と、建物の建設工事において作業を行う作業者によって利用される作業者端末と、該作業者端末と通信可能な通信装置とによって作業者を支援するための情報提供方法であって、
前記作業者端末が、前記作業者端末の位置情報を前記通信装置に向けて送信し、
前記情報記憶部が、
前記建設工事に関する前記情報として前記建物別に提供された工事関連情報と、
前記建設工事中の前記作業に関する前記情報として該作業別に提供された作業支援情報と、
前記作業別に、前記作業の問題に関する問題情報と、を記憶し、
前記工事関連情報は、前記建設工事の各作業が行われる時点を示す工事スケジュールと、位置情報に基づいて前記建設工事に関する作業場所を特定可能な図面と、を含み、
前記通信装置が、
前記作業者が参加する前記建設工事に関する前記工事スケジュールと前記図面とを前記情報記憶部から読み出す処理と、
前記情報記憶部から読み出した前記工事スケジュールに基づいて当日の作業を抽出し、抽出された前記作業のうち、前記作業者端末から受信した前記位置情報と前記図面とに基づいて特定される作業場所に対応する前記作業を特定する処理と、
前記情報記憶部に前記問題情報が所定数以上記憶されている前記作業を特定したときに、特定した前記作業と対応する前記作業支援情報を前記情報記憶部から抽出する処理と、
抽出した前記作業支援情報を前記作業者端末に向けて送信する処理と、を実行することを特徴とする情報提供方法。
【発明の詳細な説明】
【技術分野】
【０００１】
本発明は、建物の建設工事において作業を行う作業者を支援するための情報提供システム及び情報提供方法に係り、特に、建設対象の建物や工事の状況に応じた情報を提供することが可能な情報提供システム及び情報提供方法に関する。
【背景技術】
【０００２】
建物の建設工事において作業を行う作業者は、適切かつ効率よく当該作業を行わなければならない。一方、例えば作業経験が少ない作業者が作業を行う場合には、当該作業の方法や手順に慣れていないため、熟練者や監督者等からの指示や助言が必要となる。このため、近年、建設現場で作業を行う作業者に対して作業手順や作業方法を示す情報を提供する技術が開発されてきており、その一例としては、特許文献１に記載の技術が挙げられる。
【０００３】
特許文献１に記載の技術では、作業者が利用する作業者端末と中央制御装置との間で通信が行われることで、作業手順若しくは作業指示を示す情報（作業支援情報）が中央制御装置から作業者端末に送られる。作業者端末は、作業支援情報を受信すると、当該情報を作業者端末表示部に表示する。これにより、作業者は、建設現場にて効率よく作業手順等を確認することができるようになる。
【０００４】
また、特許文献１に記載の技術では、作業者端末として、作業者が装着可能なウェアラブルコンピュータを用い、また、作業者端末表示部として、ヘッドマウントディスプレイを用いる。これにより、作業者は、作業しながらハンズフリーで作業記録を作成したり、作業手順を確認したりすることが可能である。さらに、特許文献１に記載の技術では、作業者端末が熟練者や設計者の端末と通信することで当該端末から情報を取得する。これにより、作業者は、作業に関して熟練者や設計者から直接助言や指示を受けることが可能となる。
【先行技術文献】
【特許文献】
【０００５】
【特許文献１】特開２００４−１０２７２７号公報
【発明の概要】
【発明が解決しようとする課題】
【０００６】
ところで、作業者が建設現場で行う作業の内容は、建設対象の建物や工事の状況に応じて変わる。このため、作業者に提供すべき作業支援情報については、建設対象の建物や工事の状況を考慮して適切な情報が提供されるように適宜変更することが必要となる。
【０００７】
そこで、本発明は、上記の課題に鑑みてなされたものであり、その目的とするところは、建物の建設工事において作業を行う作業者を支援するための情報提供システム及び情報提供方法として、建設対象の建物や工事の状況に応じた作業支援情報を提供することが可能なシステム及び方法を実現することである。
【課題を解決するための手段】
【０００８】
前記課題は、本発明の情報提供システムによれば、建物の建設工事において作業を行う作業者を支援するための情報提供システムであって、（Ａ）情報を記憶する情報記憶部と、（Ｂ）前記作業者によって利用される作業者端末と、（Ｃ）該作業者端末と通信可能な通信装置と、を備え、（Ｄ）前記作業者端末は、前記作業者端末の位置情報を前記通信装置に向けて送信するように構成されており、（Ｅ）前記情報記憶部は、（ｅ１）前記建設工事に関する前記情報として前記建物別に提供された工事関連情報と、（ｅ２）前記建設工事中の前記作業に関する情報として該作業別に提供された作業支援情報と、（ｅ３）前記作業別に、前記作業の問題に関する問題情報と、を記憶しており、（ｅ４）前記工事関連情報は、前記建設工事の各作業が行われる時点を示す工事スケジュールと、位置情報に基づいて前記建設工事に関する作業場所を特定可能な図面と、を含み、（Ｆ）前記通信装置は、（ｆ１）前記作業者が参加する前記建設工事に関する前記工事スケジュールと前記図面とを前記情報記憶部から読み出す処理と、（ｆ２）前記情報記憶部から読み出した前記工事スケジュールに基づいて当日の作業を抽出し、抽出された前記作業のうち、前記作業者端末から受信した前記位置情報と前記図面とに基づいて特定される作業場所に対応する前記作業を特定する処理と、（ｆ３）前記情報記憶部に前記問題情報が所定数以上記憶されている前記作業を特定したときに、特定した前記作業と対応する前記作業支援情報を前記情報記憶部から抽出する処理と、（ｆ４）抽出した前記作業支援情報を前記作業者端末に向けて送信する処理と、を実行するように構成されていることにより解決される。
【０００９】
上記のように構成された本発明の情報提供システムは、建設対象の建物に関する工事関連情報、及び、作業者端末から送られてくる位置情報の双方と対応する作業を特定し、当該作業と対応する作業支援情報を作業者端末に向けて送信する。これにより、作業者に対して作業支援情報を提供する際に、建設対象の建物や工事の状況を考慮して適切な情報を提供することが可能となる。
【００１０】
また上記の構成では、工事関連情報及び位置情報から作業を特定する処理において、問題情報が多く記憶されている作業が特定されると、その後の処理において、当該作業に関する作業支援情報、すなわちミスや不具合等が発生し易い作業に関する作業支援情報が作業者端末に向けて送信される。これにより、ミスや不具合等が発生し易い作業を行う作業者に対して、的確な指示や助言を提供することが可能となる。
【００１１】
また前記課題は、本発明の情報提供システムによれば、建物の建設工事において作業を行う作業者を支援するための情報提供システムであって、（Ａ）情報を記憶する情報記憶部と、（Ｂ）前記作業者によって利用される作業者端末と、（Ｃ）該作業者端末と通信可能な通信装置と、を備え、（Ｄ）前記作業者端末は、前記作業の様子を撮影した画像情報と、前記作業者端末の位置情報と、を前記通信装置に向けて送信するように構成されており、（Ｅ）前記情報記憶部は、（ｅ１）前記建設工事に関する前記情報として前記建物別に提供された工事関連情報と、（ｅ２）前記建設工事中の前記作業に関する前記情報として該作業別に提供された作業支援情報と、を記憶しており、（ｅ３）前記工事関連情報は、前記建設工事の各作業が行われる時点を示す工事スケジュールと、位置情報に基づいて前記建設工事に関する作業場所を特定可能な図面と、を含み、（ｅ４）前記作業支援情報は、前記通信装置が過去に受信した前記画像情報を含み、（Ｆ）前記通信装置は、（ｆ１）前記作業者が参加する前記建設工事に関する前記工事スケジュールと前記図面とを前記情報記憶部から読み出す処理と、（ｆ２）前記情報記憶部から読み出した前記工事スケジュールに基づいて当日の作業を抽出し、抽出された前記作業のうち、前記作業者端末から受信した前記位置情報と前記図面とに基づいて特定される作業場所に対応する前記作業を特定する処理と、（ｆ３）特定した前記作業と対応し、かつ、予め設定された条件を満たす前記過去に受信した前記画像情報を作業支援情報として前記情報記憶部から抽出する処理と、（ｆ４）抽出した前記作業支援情報を前記作業者端末に向けて送信する処理と、を実行するように構成されていることにより解決される。
【００１２】
上記のように構成された本発明の情報提供システムは、建設対象の建物に関する工事関連情報、及び、作業者端末から送られてくる位置情報の双方と対応する作業を特定し、当該作業と対応する作業支援情報を作業者端末に向けて送信する。これにより、作業者に対して作業支援情報を提供する際に、建設対象の建物や工事の状況を考慮して適切な情報を提供することが可能となる。
【００１３】
また上記の構成では、過去に取得した画像情報のうち、作業と対応し、かつ、所定の条件を満たす画像情報を作業支援情報として提供する。これにより、ある作業の作業支援情報を提供するにあたり、作業者に指示や助言を提供する上で適切な画像情報を選定して送信することが可能となる。
【００１４】
また、上記の情報提供システムにおいて、前記情報記憶部は、特定の施工部材が用いられる前記作業を含む前記建設工事に関する前記工事関連情報と、前記特定の施工部材に関する前記作業支援情報と、を記憶しており、前記通信装置は、前記作業を特定する処理において前記特定の施工部材が用いられる前記作業を特定したとき、前記作業と対応とする前記作業支援情報を抽出する処理では、前記特定の施工部材に関する前記作業支援情報を抽出すると、好適である。
上記の構成では、特定の施工部材を用いて作業を行う場合に、当該部材に関する作業支援情報を作業者に提供することが可能となる。これにより、特定の施工部材を用いて作業を行う作業者に対して、当該部材を取り扱う際の手順や注意事項等を的確に知らせることが可能となる。
【００１５】
また、上記の情報提供システムにおいて、前記作業者端末は、前記建設工事の実施期間中、前記建設工事の進捗度合いを示す前記状況情報を定期的に送信し、前記通信装置は、前記進捗度合いを示す前記状況情報を受信したとき、前記作業を特定する処理において、前記進捗度合いを示す前記状況情報を受信した時点後に行われる前記作業を特定すると、より好適である。
上記の構成では、通信装置が、建設工事の実施期間中、その進捗度合いを示す状況情報を定期的に受信し、当該状況情報の受信時点後に行われる作業を特定し、特定した作業の作業支援情報を作業者端末に向けて送信する。このような構成であれば、工事の進捗度合いに応じて適切に作業支援情報を提供することが可能となる。この結果、作業者は、作業の切り替わり時等において切り替わり後の作業に関する指示や助言を受けることが可能となる。
【００１６】
また、上記の情報提供システムにおいて、前記作業者端末は、前記作業者が装着可能なデバイスに接続され、該デバイスから前記位置情報を取得し、取得した前記位置情報を前記通信装置に向けて送信すると、尚一層好適である。
上記の構成では、作業者端末は、作業者が装着可能なデバイスから位置情報を取得する。これにより、作業者がハンドフリーの状態で位置情報を取得することが可能となる。この結果、作業者に作業を中断させることなく位置情報を取得することが可能となる。
【００１７】
また、前述の課題は、本発明の情報提供方法によれば、情報を記憶する情報記憶部と、建物の建設工事において作業を行う作業者によって利用される作業者端末と、該作業者端末と通信可能な通信装置とによって作業者を支援するための情報提供方法であって、（Ａ）前記作業者端末が、前記作業者端末の位置情報を前記通信装置に向けて送信し、（Ｂ）前記情報記憶部が、（ｂ１）前記建設工事に関する情報として前記建物別に提供された工事関連情報と、（ｂ２）前記建設工事中の前記作業に関する情報として該作業別に提供された作業支援情報と、（ｂ３）前記作業別に、前記作業の問題に関する問題情報と、を記憶し、（ｂ４）前記工事関連情報は、前記建設工事の各作業が行われる時点を示す工事スケジュールと、位置情報に基づいて前記建設工事に関する作業場所を特定可能な図面と、を含み、（Ｃ）前記通信装置が、（ｃ１）前記作業者が参加する前記建設工事に関する前記工事スケジュールと前記図面とを前記情報記憶部から読み出す処理と、（ｃ２）前記情報記憶部から読み出した前記工事スケジュールに基づいて当日の作業を抽出し、抽出された前記作業のうち、前記作業者端末から受信した前記位置情報と前記図面とに基づいて特定される作業場所に対応する前記作業を特定する処理と、（ｃ３）前記情報記憶部に前記問題情報が所定数以上記憶されている前記作業を特定したときに、特定した前記作業と対応する前記作業支援情報を前記情報記憶部から抽出する処理と、（ｃ４）抽出した前記作業支援情報を前記作業者端末に向けて送信する処理と、を実行することにより解決される。
上記の方法によれば、建物の建設工事において作業を行う作業者に対して作業支援情報を提供する際に、建設対象の建物や工事の状況に応じた情報を提供することが可能となる。
また上記の構成では、工事関連情報及び状況情報から作業を特定する処理において、問題情報が多く記憶されている作業が特定されると、その後の処理において、当該作業に関する作業支援情報、すなわちミスや不具合等が発生し易い作業に関する作業支援情報が作業者端末に向けて送信される。これにより、ミスや不具合等が発生し易い作業を行う作業者に対して、的確な指示や助言を提供することが可能となる。
【発明の効果】
【００１８】
本発明によれば、建物の建設工事において作業を行う作業者を支援するための作業支援情報を提供するにあたり、建設対象の建物や工事の状況に応じた作業支援情報を提供することが可能になる。これにより、作業者は、建設工事の中で作業を行うにあたり、的確な作業指示や助言を受けることが可能となる。この結果、建設工事における業務効率の改善が図られ、建設工事の工期を短縮しつつ施工品質を確保することが可能となる。
【図面の簡単な説明】
【００１９】
【図１】本発明の一実施形態に係る情報提供システムの概念図である。
【図２】作業支援情報の表示画面の一例を示す図である。
【図３】作業者が作業を行っている様子を示す図である。
【図４】本発明の一実施形態に係る情報提供システムの構成を示すブロック図である。
【図５】情報記憶部に記憶された各種情報の説明図である。
【図６】作業開始時に作業支援情報を提供するフローを示す図である（その１）。
【図７】作業開始時に作業支援情報を提供するフローを示す図である（その２）。
【図８】作業中に作業支援情報を提供するフローを示す図である（その１）。
【図９】作業中に作業支援情報を提供するフローを示す図である（その２）。
【発明を実施するための形態】
【００２０】
以下、本発明の一実施形態（以下、本実施形態）について説明する。なお、以下では、建物の建設工事の一例として住宅の建設工事を挙げて説明することとする。ただし、あくまでも住宅は建物の一例に過ぎず、本発明に係る情報提供システムは、住宅以外の建物の建設工事、例えば施設や商業ビル、工場内の建屋若しくは店舗等の建設工事にも利用可能である。
【００２１】
＜＜本実施形態に係る情報提供システムの概要＞＞
先ず、本実施形態に係る情報提供システム（以下、本システム１）の利用目的や機能等について図１乃至３を参照しながら説明する。図１は、本システム１の概略図である。図２は、後述する作業支援情報を表示した画面の一例を示す図である。図３は、作業者が作業を行っている様子を示している図である。
【００２２】
本システム１は、住宅の建設工事において作業を行う作業者（以下、作業者Ｔ）に対して当該作業に関する情報を提供して作業者Ｔを支援する目的で利用される。なお、「建設工事」とは、建設対象の住宅を建てるために実施される一連の工程を意味しており、各工程では当該工程と対応する作業が行われる。作業者Ｔは、各工程で作業を行うにあたって本システム１を利用する。
【００２３】
本システム１は、作業者Ｔが利用する作業者端末１０と、通信装置に相当する中央管理装置２０と、を主な構成機器として有する。また、作業者端末１０には各種のデバイスが接続されている。なお、本実施形態において、作業者端末１０と各種のデバイスは、図１に図示したように作業者Ｔに装着された状態で利用される。作業者端末１０と中央管理装置２０とは、インターネット等の通信網Ｉを介して通信可能に接続されている。
【００２４】
作業者端末１０は、中央管理装置２０と通信することにより、中央管理装置２０から作業支援情報を受信する。ここで、「作業支援情報」とは、建設工事中の作業に関する情報であり、具体的には、作業の手順や方法、作業に際しての注意事項、作業に関連する法規等の遵守事項、作業を効率よく行うための指示や助言（アドバイス）等が該当する。
【００２５】
そして、作業者Ｔは、作業者端末１０が受信した作業支援情報を確認することが可能である。具体的に説明すると、作業者端末１０は、作業支援情報を受信すると、作業者Ｔが装着しているヘッドマウントディスプレイ１１を制御し、当該ヘッドマウントディスプレイ１１に上記の作業支援情報を表示する。厳密には、ヘッドマウントディスプレイ１１の表示部（具体的には、グラス部分の裏側）に図２に図示の画面が描画され、当該画面において作業支援情報が表示されるようになる。これにより、作業者Ｔは、これから開始する作業若しくは既に開始している作業（以下、実施対象作業）の作業支援情報を確認して、当該実施対象作業を行うことが可能となる。
【００２６】
なお、本実施形態では、ヘッドマウントディスプレイ１１に作業支援情報を表示させるため、作業者Ｔは、ハンドフリーの状態で作業支援情報を確認することが可能である。この結果、作業者Ｔは、図２に示すように、実施対象作業を行いながら（つまり、作業を中断することなく）、当該実施対象作業の作業支援情報を確認することが可能である。
【００２７】
また、作業者端末１０は、中央管理装置２０以外に熟練者の端末（以下、熟練者端末３０）や設計者の端末（以下、設計者端末４０）に対しても通信可能に接続されている。ここで、「熟練者」とは、住宅の建設工事における一又は二以上の作業について、当該作業の経験回数が比較的多い作業者Ｔを意味する。また、「設計者」とは、建設対象の住宅の構造や仕様、あるいは住宅の建具や施工部材を設計した者を意味する。
【００２８】
そして、作業者端末１０が熟練者端末３０や設計者端末４０と通信することで、作業者Ｔは、実施対象作業に関する指示や助言を熟練者や設計者から直接入手し、また、実施対象作業に関する質問や問い合わせを熟練者や設計者に対して直接行う。
【００２９】
ところで、住宅の建設工事の中で行われる作業（すなわち、実施対象作業）の内容は、建設対象の住宅の仕様や建設現場の場所等に応じて変わってくる。また、実施対象作業の内容は、当然ながら、建設工事の状況（具体的には、工事の進捗度合いやスケジュール変更等の有無）に応じて変化する。したがって、発明が解決しようとする課題の項で説明したように、作業者Ｔに作業支援情報を提供する際には、建設対象の住宅や工事の状況を考慮して適切な情報を提供する必要がある。
【００３０】
本システム１は、上記の要求に応じ得るものであり、換言すると、本システム１の機能により、建設対象の住宅や工事の状況に応じて適切な作業支援情報を作業者Ｔに対して提供することが可能となる。以下では、本システム１の機能について詳細に説明すると共に、当該機能によって作業支援情報を提供する手順について具体的に説明することとする。
【００３１】
＜＜本システム１の構成機器について＞＞
本システム１の機能について説明するにあたり、本システム１の各構成機器について図４を参照しながら説明する。図４は、本システム１の構成を示すブロック図である。
【００３２】
本システム１は、前述したように、作業者端末１０及び中央管理装置２０を主要構成機器として有する。また、本システム１の構成機器の中には、情報記憶部に相当するデータベース部５０、作業者Ｔが作業時に装着するデバイス、及び、既出の熟練者端末３０や設計者端末４０が含まれる。以下では、本システム１の構成機器のうち、作業者端末１０、中央管理装置２０及びデータベース部５０を中心に説明することとする。
【００３３】
（作業者端末１０）
作業者端末１０は、作業者によって利用される端末であり、具体的には、ＣＰＵ、メモリ及び通信用インタフェースを有するコンピュータによって構成されている。なお、本実施形態では、図１に示すように、作業者Ｔが装着可能なウェアラブルコンピュータによって構成されている。ただし、作業者端末１０を構成するコンピュータは、特に限定されるものではなく、例えば、作業者Ｔが携帯するスマートフォンやタブレット型端末、若しくはノート型ＰＣであってもよい。
【００３４】
また、作業者端末１０には、コンピュータに作業者端末１０としての機能を発揮させるためのプログラム（以下、作業者端末用プログラム）がインストールされている。この作業者端末用プログラムがＣＰＵに読み取られることで、作業者端末１０としてのコンピュータが中央管理装置２０、熟練者端末３０及び設計者端末４０の各々と通信する。この結果、作業者端末１０は、上記の各装置から送られてくる情報を取得（受信）する。特に、作業者端末１０は、中央管理装置２０から送られてくる作業支援情報を受信する。
【００３５】
そして、作業者端末１０は、受信した作業支援情報を作業者Ｔに提示するために、当該作業支援情報をヘッドマウントディスプレイ１１に表示させる。なお、本実施形態では、作業支援情報の出力方法として、ヘッドマウントディスプレイ１１に表示させる方法を採用しているが、これに限定されるものではない。つまり、作業支援情報の出力方法については他の方法も考えられ、例えば、作業支援情報を音声にて提示（報知）してもよい。
【００３６】
また、作業者端末１０は、中央管理装置２０、熟練者端末３０及び設計者端末４０の各々と通信する際、当該各装置に向けて情報を送信する。特に、作業者端末１０は、建設工事の状況を示す状況情報を中央管理装置２０に向けて送信する。
【００３７】
具体的に説明すると、作業者端末１０は、作業者Ｔが装着可能なデバイス（ウェアラブルデバイス）に接続されている。本実施形態では、上記のウェアラブルデバイスとしてカメラ１２及びマイク１３が用いられている。カメラ１２は、作業者Ｔが作業を行っている間に当該作業の様子を撮影する機器であり、本実施形態では、作業者Ｔの頭部（厳密には、作業者Ｔが被るヘルメットの側部）に取り付けられた状態で撮影する。マイク１３は、作業者Ｔが発した声を集音する機器であり、本実施形態ではヘッドセット型のマイクである。
【００３８】
なお、カメラ１２及びマイク１３を作業者端末１０に接続する方式（接続方式）については特に限定されるものではなく、有線接続方式であっても無線接続方式であってもよい。
【００３９】
そして、作業者端末１０は、カメラ１２及びマイク１３から状況情報を取得する。より詳しく説明すると、作業者Ｔが作業（実施対象作業）を行っている間、作業者端末１０は、カメラ１２が撮影した作業の様子を示す画像情報を定期的にカメラ１２から取得する。ここで、本実施形態に係るカメラ１２は、画像情報として静止画像情報を一定時間毎（例えば、１０秒毎）に撮影する。この結果、作業者端末１０は、実施対象作業が行われている間、当該作業の様子（現状）を示す画像情報を状況情報として１０秒毎に取得する。
【００４０】
なお、カメラ１２から取得する画像情報については、静止画像情報に限定されるものではなく、動画情報であってもよい。また、画像情報の取得間隔については、上記の時間（１０秒）に限定されるものではなく、任意の時間に設定可能である。
【００４１】
また、建設工事の実施期間中、作業者端末１０は、毎日、所定時刻に建設工事の進捗度合いを示す状況情報を、マイク１３を通じて取得する。より具体的に説明すると、建設工事の実施期間中、作業者Ｔは、毎日、作業終了時刻になると、その日に行った作業の内容を実施日と共に報告する。マイク１３は、このときに作業者Ｔが発する音声を集音する。その後、作業者端末１０は、マイク１３が集音した音声情報を取得すると、当該音声情報に対して言語解析処理を適用する。これにより、マイク１３によって集音された音声情報が示す内容（すなわち、作業者Ｔの報告内容）がテキスト化される。この結果、作業者端末１０は、当日に行われた作業の報告内容を示すテキスト情報を状況情報として取得する。
【００４２】
そして、作業者端末１０は、取得した状況情報を中央管理装置２０に向けて送信するように構成されている。より厳密に説明すると、作業者Ｔが実施対象作業を行っている間、作業者端末１０は、カメラ１２から一定時間毎に取得した画像情報を逐次、中央管理装置２０に向けて送信する。また、建設工事の実施期間中の各日において作業終了時刻となると、作業者端末１０は、マイク１３によって集音された作業者Ｔの音声をテキスト化し、そのテキスト情報を中央管理装置２０に向けて送信する。
【００４３】
なお、作業者端末１０は、上記の画像情報やテキスト情報を送信するにあたり、これらの情報に作業者端末１０の位置情報を付加させ、位置情報付きの状況情報として送信する。ここで、位置情報は、作業者端末１０の現在位置、換言すると、建設工事において作業者Ｔが実際に作業を行っている場所の位置を示している。
【００４４】
ちなみに、作業者端末１０がカメラ１２から取得した画像情報は、中央管理装置２０によって受信されると、後述の「施工記録情報」として取り扱われるようになる。また、マイク１３によって集音された作業者Ｔの報告をテキスト化することで得られるテキスト情報は、中央管理装置２０によって受信されると、後述の「作業報告書」として取り扱われるようになる。
【００４５】
（中央管理装置２０）
中央管理装置２０は、作業支援情報の提供サービスを実施する者（例えば、住宅販売会社等の管理会社）が保有するサーバコンピュータによって構成され、ＣＰＵ、メモリ、ハードディスクドライブ、キーボードやマウス等の入力機器、ディスプレイ等の出力機器及び通信用インタフェースを有する。
【００４６】
また、中央管理装置２０には、上記のサーバコンピュータに中央管理装置２０としての機能を発揮させるためのプログラム（以下、管理用プログラム）がインストールされている。この管理用プログラムがＣＰＵに読み取られることで、中央管理装置２０としてのサーバコンピュータは、作業支援情報の提供に関する一連の工程を実施する。中央管理装置２０が実施する主な工程は、状況情報取得工程、作業特定工程、作業支援情報提供工程である。
【００４７】
状況情報取得工程について説明すると、当該工程では、作業者端末１０から送信されてくる状況情報（具体的には、作業者端末１０がカメラ１２から取得した画像情報、及び、マイク１３によって集音された作業者Ｔの報告を作業者端末１０がテキスト化することで取得されるテキスト情報）を受信する。なお、中央管理装置２０は、受信した状況情報をデータベース部５０に記憶させる。この際、状況情報は、当該状況情報の送信元である作業者Ｔの識別情報（以下、作業者ＩＤ）、あるいは当該状況情報によって状況が把握される建設工事の識別情報（以下、工事ＩＤ）と関連付けられた状態でデータベース部５０に記憶される。
【００４８】
作業特定工程について説明すると、当該工程では、作業者端末１０から受信した状況情報を参照し、当該状況情報によって状況が把握される建設工事中のどの作業が実施対象作業に該当するのかを特定する。より具体的に説明すると、作業者Ｔが作業を行っている間には、状況情報として、作業者端末１０がカメラ１２から取得した画像情報を受信する。この場合、作業特定工程では、作業者Ｔが現に行っている作業を特定する。
【００４９】
また、建設工事の実施期間の各日において作業終了時刻になると、作業者Ｔがその日の作業を報告し、中央管理装置２０は、その報告内容をテキスト化したテキスト情報を状況情報として受信する。この場合、作業特定工程では、作業者Ｔが翌日（あるいは次の作業日）に行う予定の作業を特定する。なお、作業を特定する具体的な手順については、後に説明する。
【００５０】
作業支援情報提供工程について説明すると、当該工程では、作業支援情報のうち、作業特定工程において特定された作業（実施対象作業）と対応する作業支援情報をデータベース部５０から抽出し、抽出された作業支援情報を作業者端末１０に向けて送信する。より厳密に説明すると、作業支援情報提供工程では、その前工程である作業特定工程にて用いられた状況情報の発信元である作業者端末１０を特定し、当該作業者端末１０に向けて、抽出された作業支援情報を送信する。なお、作業支援情報を抽出する具体的な手順については、後に説明する。
【００５１】
そして、中央管理装置２０が上記３つの工程を実施することで、建設対象の住宅や建設工事の状況に応じた作業支援情報が作業者Ｔに対して提供されるようになる。また、本実施形態では、中央管理装置２０が過去に状況情報として受信した画像情報、すなわち、作業者端末１０がカメラ１２から取得して中央管理装置２０に向けて送信した画像情報を作業支援情報として用いる場合がある。
【００５２】
さらに、中央管理装置２０は、データベース部５０に記憶された各種の情報を修正したり更新したりすることが可能である。一例を挙げて説明すると、ある住宅の設計者が当該住宅の建具を改良した場合、その改良内容が設計者端末４０を通じて中央管理装置２０へ連絡される。かかる連絡を受け付けた中央管理装置２０は、データベース部５０に蓄積された情報のうち、建具が改良された住宅に関する情報を読み出し、その情報へ改良内容が反映されるように当該情報を修正する。
【００５３】
（データベース部５０）
データベース部５０は、情報記憶部に相当し、住宅の建設工事に関する各種情報を記憶している。なお、本実施形態に係るデータベース部５０は、中央管理装置２０に接続されたデータベースサーバからなる。データベース部５０に記憶されている情報には、図４に示すように、工事内容情報Ｄ１、立地環境情報Ｄ２、施工内容情報Ｄ３、工事関係者情報Ｄ４、作業情報Ｄ５及びその他の情報Ｄ６が含まれている。以下、各情報について図５を参照しながら詳しく説明する。図５は、データベース部５０に記憶された各種情報の説明図である。
【００５４】
工事内容情報Ｄ１は、住宅の建設工事に関する情報であり、本発明の「工事関連情報」に該当する。この工事内容情報Ｄ１は、住宅別に提供されており、換言すると、住宅の建設工事毎に用意されている。また、各住宅の工事内容情報Ｄ１は、当該各住宅の建設工事に対して設定された識別情報（工事ＩＤ）と関連付けられた状態でデータベース部５０に記憶されている。
【００５５】
工事内容情報Ｄ１には、図５に示すように、仕様書、設計図面、工事スケジュール及び部材搬入予定日が収録されている。仕様書は、住宅の構造、住宅の立地場所、立地場所に対して定められた区分（例えば、都市計画で指定される地域区分や積雪区分）、建設工事において使用される材料（施工部材）、施工方法、仕上げ程度等に関する内容である。
【００５６】
設計図面は、住宅各部の平面図、立面図、矩計図、伏図及び電気配線図等である。なお、本実施形態において、各設計図面には、所定のルールに従って決められた基準位置が示されており、当該基準位置の緯度、経度及び地表からの高さ等が併記されている。
【００５７】
工事スケジュールは、住宅の建設工事の工程計画表であり、建設工事中の各作業がどの時点で行われるのかを示している。部材搬入予定日は、各施工部材が建設現場に搬入される予定日である。なお、本実施形態において、部材搬入予定日は、工事スケジュールとリンクしている。これにより、建設工事中の各作業について、当該作業に用いられる施工部材の品目及び搬入予定日を工事スケジュールから辿ることが可能である。
【００５８】
以上までに説明した工事内容情報Ｄ１は、管理会社、住宅の設計者あるいは施工業者等から所定の端末を通じて提供され、中央管理装置２０によって受信された後にデータベース部５０に記憶されることになっている。そして、建設工事が新たに行われると、その都度、上記の手順にて新たな工事内容情報Ｄ１（厳密には、新たに行われる建設工事に関する工事内容情報Ｄ１）が入手されてデータベース部５０に記憶されるようになる。なお、工事内容情報Ｄ１の入手方法については特に限定されるものではない。また、工事内容情報Ｄ１として収録される内容については、上記の内容に限定されず、上記の内容以外の内容が含まれてもよい。
【００５９】
立地環境情報Ｄ２は、住宅の立地環境に関する情報である。この立地環境情報Ｄ２は、住宅別に提供されており、換言すると、住宅の建設工事毎に用意されている。また、各住宅の立地環境情報Ｄ２は、対応する工事ＩＤと関連付けられた状態でデータベース部５０に記憶されている。
【００６０】
立地環境情報Ｄ２には、図５に示すように、天候、災害発生状況、道路状況、高低差、地質及び地盤が収録されている。天候は、住宅の立地場所が属する地域の天候（気候）である。災害発生状況は、住宅の立地場所が属する地域における過去の災害発生状況である。道路状況は、住宅の立地場所に接している道路（いわゆる前面道路）の整備状況等である。高低差は、住宅の立地場所における地盤の高低差である。地質は、住宅の立地場所における地質である。地盤は、住宅の立地場所における地盤の硬さ等を示している。
【００６１】
上記の立地環境情報Ｄ２は、管理会社や施工業者等から所定の端末を通じて提供され、中央管理装置２０によって受信された後にデータベース部５０に記憶されることになっている。そして、建設工事が新たに行われると、その都度、上記の手順にて新たな立地環境情報Ｄ２（厳密には、新たな建設工事によって建設される住宅の立地環境情報Ｄ２）が入手されてデータベース部５０に記憶されるようになる。なお、立地環境情報Ｄ２の入手方法については特に限定されるものではない。また、立地環境情報Ｄ２として収録される内容については、上記の内容に限定されず、上記の内容以外の内容が含まれてもよい。
【００６２】
施工内容情報Ｄ３は、建設工事における施工内容、より具体的には工事の進捗度合いや作業の進行状況等を管理するための情報である。この施工内容情報Ｄ３は、建設工事毎に用意され、当該建設工事の実施期間において定期的に（厳密には、毎日）提供される。すなわち、施工内容情報Ｄ３は、建設工事の実施期間中、毎日追加されて随時データベース部５０に記憶される。また、各建設工事の施工内容情報Ｄ３は、当該各建設工事の工事ＩＤと関連付けられた状態でデータベース部５０に記憶される。
【００６３】
本実施形態では、２種類の施工内容情報Ｄ３が提供されることになっている。具体的に説明すると、図５に示すように、作業報告書と部材施工情報とが施工内容情報Ｄ３として提供される。
【００６４】
作業報告書は、建設工事の進捗度合いを示す状況情報に相当し、建設工事に従事している作業者Ｔが各日の作業終了後に作業内容を報告することで生成される作業日報である。より詳しく説明すると、作業報告書は、作業者Ｔの報告をマイク１３によって集音した後にテキスト化することで得られるテキスト情報であり、作業者端末１０から送信されてくる。なお、作業報告書の入手方法については、上記の方法に限定されるものではない。
【００６５】
部材施工情報は、各作業において各施工部材を所定の配置位置に設置したときの当該配置位置及び配置日（施工日）を示すものである。本実施形態において、部材施工情報は、作業報告書を解析することで取得されることになっている。すなわち、作業報告書から各日の作業内容を具体的に特定し、また、特定した作業内容から当該作業に用いた施工部材を特定し、さらに、特定した施工部材から当該施工部材の配置場所等を特定する。なお、部材施工情報の入手方法については、上記の方法に限定されるものではなく、上記以外の方法にて部材施工情報を入手してもよい。
【００６６】
工事関係者情報Ｄ４は、住宅の建設工事に関与する者（工事関係者）に関する情報である。この工事関係者情報Ｄ４は、住宅の建設工事毎に用意されている。また、各建設工事の工事関係者情報Ｄ４は、当該各建設工事の工事ＩＤと関連付けられた状態でデータベース部５０に記憶されている。
【００６７】
工事関係者情報Ｄ４には、図５に示すように、管理会社情報、担当者情報、施工業者情報、作業者情報及び入退場時刻情報が収録されている。管理会社情報は、建設工事の管理会社に関する情報、例えば管理会社の名称（支店名）や所在地、連絡先及び担当窓口等である。担当者情報は、建設対象の住宅に関する各担当者、より具体的には営業担当者、設計者、工事担当者、アフターサービスの担当者等に関する情報である。施工業者情報は、建設工事の施工業者に関する情報、例えば施工業者の名称や所在地、連絡先及び当該建設工事に参加する各作業者Ｔの名前等である。
【００６８】
作業者情報は、建設工事中の各作業に従事する作業者Ｔに関する情報である。この作業者情報は、作業者Ｔの個人情報を示すと共に、当該作業者Ｔがこれまでに行った作業の経験回数（すなわち、熟練度）を作業内容別に示している。
【００６９】
入退場時刻情報は、建設工事の実施期間中の各日において作業者Ｔが建設現場に入場した時刻及び建設現場から退場した時刻を示すものである。この入退場時刻情報は、建設現場に居る作業者Ｔが入場時及び退場時に作業者端末１０にて所定の操作を行うと、これを契機にして作業者端末１０から中央管理装置２０へ送信されることになっている。なお、入退場時刻情報は、上述の作業者情報とリンクしている。具体的に説明すると、各作業者Ｔの作業者情報及び入退場時刻情報は、当該各作業者Ｔに対して設定された識別情報（作業者ＩＤ）によって紐付けされている。これにより、入退場時刻情報に基づいて、建設工事に参加する作業者Ｔのうち、建設現場に居る者を特定することができ、さらに、作業者情報に基づいて、建設現場に居る作業者Ｔの熟練度を特定することができる。
【００７０】
以上までに説明した工事関係者情報Ｄ４は、管理会社や施工業者等から所定の端末を通じて提供され、中央管理装置２０によって受信された後にデータベース部５０に記憶されることになっている。そして、建設工事が新たに行われると、その都度、上記の手順にて新たな工事関係者情報Ｄ４（厳密には、新たな建設工事に関与する工事関係者の情報）が入手されてデータベース部５０に記憶されるようになる。なお、工事関係者情報Ｄ４の入手方法については特に限定されるものではない。また、工事関係者情報Ｄ４として収録される内容については上記の内容に限定されず、上記の内容以外の内容が含まれてもよい。
【００７１】
また、工事関係者情報Ｄ４中の作業者情報は、作業者Ｔの熟練度（作業の経験回数）が変わると、これに応じて修正（更新）されることになっている。具体的に説明すると、ある作業者Ｔがある作業を行ったときの作業報告書を中央管理装置２０が作業者端末１０から受信すると、中央管理装置２０は、データベース部５０に記憶された上記作業者Ｔの作業者情報を読み出し、今回実施した作業の経験回数が１だけ増えるように当該作業者情報を更新する。
【００７２】
作業情報Ｄ５は、「作業支援情報」として用いられる情報である。すなわち、作業情報Ｄ５は、建設工事において実施対象作業を行う作業者Ｔに対して、当該実施対象作業の手順や方法、注意点及び遵守事項等を知らせる目的で提供される。また、作業情報Ｄ５は、作業別に提供されており、各作業に対して設定された識別情報（以下、作業ＩＤ）と関連付けられた状態でデータベース部５０に記憶されている。なお、作業情報Ｄ５は、建設工事間で共有されることになっており、例えば、ある建設工事中の作業に関する作業情報Ｄ５は、他の建設工事であって当該作業と同じ作業を含む工事においても利用される。
【００７３】
作業情報Ｄ５には、図５に示すように、工事担当者からの指示事項、標準施工要領書、標準納まり情報、及び施工記録情報が収録されている。工事担当者からの指示事項は、作業に関する工事担当者からの指示事項であり、具体的には、当該作業の手順や方法（やり方）、これらを解説するための画像や動画、及び作業中の遵守事項等が該当する。なお、本実施形態において、工事担当者からの指示事項は、工事担当者により所定の端末を通じて提供され、中央管理装置２０によって受信された後にデータベース部５０に記憶されることになっている。ただし、上記情報の入手経路については特に限定されるものではない。
【００７４】
標準施工要領書は、各作業の標準的な施工要領を示すものであり、具体的には、標準的な詳細施工図や施工要項に関する文書が該当する。なお、本実施形態において、標準施工要領書は、管理会社や設計者により所定の端末を通じて提供され、中央管理装置２０によって受信された後にデータベース部５０に記憶されることになっている。ただし、上記情報の入手経路については特に限定されるものではない。
【００７５】
標準納まり情報は、各作業において各施工部材を所定の配置位置に標準的な納まりにて設置するための手順等を示すものであり、具体的には、各施工部材を標準的な納まりにて設置している作業の様子を示す画像情報や当該作業の所要時間（標準的な作業時間）が該当する。なお、本実施形態において、標準納まり情報は、管理会社や設計者により所定の端末を通じて提供され、中央管理装置２０によって受信された後にデータベース部５０に記憶されることになっている。ただし、上記情報の入手経路については特に限定されるものではない。
【００７６】
施工記録情報は、実際の作業の手順や方法を記録した画像情報である。具体的に説明すると、施工記録情報は、中央管理装置２０が作業者端末１０から過去に取得した画像情報であり、より詳しくは、作業者Ｔが作業を行っている間にカメラ１２によって撮影された静止画像情報である。かかる画像情報は、当初、作業者Ｔによって行われている作業の現状を示す状況情報として中央管理装置２０に受信され、その後、施工記録情報としてデータベース部５０に記憶される。
【００７７】
また、本実施形態において、上記の画像情報は、作業者Ｔが作業を行っている間、定期的に（例えば、１０秒毎に）取得され、その都度、作業者端末１０から送信されることになっている。したがって、作業者Ｔが作業を行っている間には、当該作業の施工記録情報としての画像情報が所定の時間間隔で追加されてデータベース部５０に順次記憶されることになる。
【００７８】
また、施工記録情報としての画像情報は、対応する作業を行った作業者Ｔの作業者情報とリンクしている。具体的に説明すると、各作業の施工記録情報（画像情報）と、当該各作業を行った作業者Ｔの作業者情報とは、その作業者Ｔの識別情報（作業者ＩＤ）によって紐付けされている。換言すると、作業者情報は、施工記録情報としての画像情報と関連付けられた状態でデータベース部５０に記憶されている。これにより、各施工記録情報がどの程度の熟練度を有する作業者Ｔによって行われた作業に関する情報であるのかを特定することが可能となる。
【００７９】
また、本実施形態において、作業者端末１０は、上記の画像情報を送信するにあたり、作業者端末１０の位置情報を画像情報中に組み込んだ上で当該画像情報を送信する。つまり、施工記録情報としての画像情報は、作業者Ｔが作業を行っている場所の位置情報を含んでいる。このため、施工記録情報を解析することにより、当該施工記録情報と対応する作業が行われた場所（位置）を特定することが可能となる。
【００８０】
なお、本実施形態では、施工記録情報が画像情報、特にカメラ１２によって撮影された静止画像情報であることとしたが、これに限定されるものではない。施工記録情報としては、動画情報であってもよく、あるいは、マイク１３によって集音された音声情報や当該音声情報をテキスト化したテキスト情報であってもよい。
【００８１】
その他の情報Ｄ６は、上述した５つの情報を除いた、建設工事及び作業に関する情報である。その他の情報Ｄ６の中には、作業者Ｔが作業者端末１０を通じて通知した情報、設計者が設計者端末４０を通じて通知した情報、及び、管理会社が中央管理装置２０を通じて用意した情報が含まれる。
【００８２】
具体的に説明すると、作業者Ｔは、ある作業を行った際に不具合や事故が発生した場合、作業者端末１０を通じて当該不具合や事故の内容を通知する。また、作業者Ｔは、ある作業を行っている間に当該作業に関して不明点や質問又は改善要望がある場合、作業者端末１０を通じて当該不明点や質問を問い合わせたり改善要望を提出したりする。中央管理装置２０は、これらの内容を作業者端末１０から受信し、データベース部５０に記憶させる。この結果、データベース部５０には、過去の問合せ情報、過去の不具合情報、及び過去の事故情報がその他の情報Ｄ６として蓄積されるようになる。なお、これらの情報は、作業の問題に関する問題情報に相当する。また、上記３つの情報は、作業別に分けられ、対応する作業の作業ＩＤと関連付けられた状態でデータベース部５０に記憶されている。
【００８３】
その他の情報Ｄ６について更に説明すると、その他の情報Ｄ６の中には、図５に示すように施工部材変更情報が含まれている。この施工部材変更情報は、建設工事において用いられる施工部材について変更があった場合にデータベース部５０に記憶されることになっている。より具体的に説明すると、建設対象の住宅の設計者は、当該住宅の施工部材として新規の部材を採用したり、従来使用していた部材を改良したりした場合、設計者端末４０を通じて変更後の施工部材に関する情報（例えば、施工部材の品名や型番、図面等）を通知する。ここで、変更後の施工部材は、本発明の「特定の施工部材」に相当する。
【００８４】
そして、中央管理装置２０は、変更後の施工部材に関する情報を設計者端末４０から受信し、データベース部５０に記憶させる。この結果、データベース部５０には、変更後の施工部材に関する情報が施工部材変更情報として蓄積されるようになる。
【００８５】
また、本実施形態では、施工部材変更情報がデータベース部５０に記録されると、これに伴って中央管理装置２０がデータベース部５０内の他の情報を書き換える。具体的に説明すると、ある建設工事に変更後の施工部材が用いられるようになった場合、中央管理装置２０は、当該ある建設工事に関する工事内容情報Ｄ１の部材搬入予定日を、変更後の施工部材の搬入予定日が含まれるように書き換える。なお、上記のように書き換えられた工事内容情報Ｄ１は、変更後の施工部材が用いられる作業を含む建設工事に関する工事内容情報Ｄ１（工事関連情報）に該当する。
【００８６】
さらに、本実施形態において、中央管理装置２０は、施工部材変更情報をデータベース部５０に記録させると、変更後の施工部材に関する作業支援情報として、変更後の施工部材を用いる場合の標準施工要領書及び標準納まり情報を新たにデータベース部５０に記憶させる。なお、変更後の施工部材を用いる場合の標準施工要領書や標準納まり情報については、管理会社が所定の端末を通じて提供してもよく、あるいは設計者が設計者端末４０を通じて提供してよい。
【００８７】
その他の情報Ｄ６について更に説明すると、その他の情報Ｄ６の中には、図５に示すように工事進捗情報が含まれている。この工事進捗情報は、管理会社が管理している各建設工事の進捗度合いを管理する目的で提供される。より具体的に説明すると、管理会社は、データベース部５０において建設工事別に記憶されている作業報告書に基づいて各建設工事の進捗度合いを把握する。その後、管理会社は、中央管理装置２０を通じて各建設工事の進捗度合いを登録し、その登録内容を工事進捗情報としてデータベース部５０に記憶させる。
【００８８】
以上までに説明してきたように、データベース部５０には、現在行われている建設工事に関する情報に加えて、過去に行われた建設工事に関する情報や当該建設工事中の各作業に関する情報等が蓄積されている。そして、データベース部５０に蓄積された各種情報を有効に活用することにより、建設工事における施工品質を簡単にチェックすることが可能となる。具体的に説明すると、作業情報Ｄ５の施工記録情報（画像情報）を施工終了後に参照することで、各部材の配置位置や不具合の有無等をチェックすることが可能となる。すなわち、上記の施工記録情報は、工事のトレーサビリティ情報として利用可能である。なお、施工品質のチェックを実施するにあたっては、チェック対象の作業が属する建設工事及び作業場所を特定することが必要となるが、その際には、施工記録情報に組み込まれた位置情報と工事内容情報Ｄ１の設計図面とを照合する等して特定すればよい。
【００８９】
また、データベース部５０に蓄積された各種情報を、例えば、将来行われる予定の建設工事を計画する際に参照することも可能である。具体的に説明すると、データベース部５０に記憶されている過去の問合せ情報、過去の不具合情報、及び過去の事故情報を参照することにより、改善すべき作業を特定し、当該作業中の問題点（設計ミス等）を抽出することが可能となる。これにより、改善すべき作業と同様の作業を含む建設工事を計画する際には、上記の問題点を改善した内容で計画することが可能となる。
【００９０】
＜＜本実施形態に係る情報提供方法について＞＞
次に、本システム１を用いて作業支援情報を提供する方法、すなわち本実施形態に係る情報提供方法について説明する。本実施形態では、建設工事の実施期間における各日の作業において、作業開始時に作業支援情報を提供するフロー（以下、作業開始時フロー）と、作業中に作業支援情報を提供するフロー（以下、作業中フロー）とが実施される。そして、各フローでは、本実施形態に係る情報提供方法が採用されており、当該方法に則って作業支援情報が提供される。ここで、本実施形態に係る情報提供方法は、本発明の情報提供方法に相当する。換言すると、各フロー中の各ステップは、本発明の情報提供方法の構成要素に該当する。
【００９１】
以下、上述した２つのフローの各々について具体的な流れを説明する。なお、以下では、ある住宅の建設工事（以下、建設工事Ｘ）において作業者ＴであるＭさんが作業を行うケースを具体例に挙げて説明する。また、建設工事ＸにおいてＭさんは作業Ｗ１、Ｗ２、、、Ｗｎを順に行うこととする。
【００９２】
（作業開始時フロー）
作業開始時フローの流れについて図６及び図７を参照しながら説明する。図６及び図７は、作業開始時フローの流れを示す図である。作業開始時フローは、Ｍさんが建設工事Ｘの現場において作業を開始する前の時点、例えば、作業開始直前又は作業当日の朝礼において実施される。
【００９３】
作業開始時フローは、図６に示すように、Ｍさんが作業者端末１０を装着してログイン操作を行い、作業者端末１０が当該ログイン操作を受け付けるところから始まる（Ｓ００１）。作業者端末１０は、ログイン操作を受け付けると、その時点での時刻をＭさんの入場時刻として特定し、その特定された時刻を示す入場時刻情報を中央管理装置２０に向けて送信する（Ｓ００２）。なお、送信される入場時刻情報には、Ｍさんの作業者ＩＤが組み込まれている。
【００９４】
中央管理装置２０は、通信網Ｉを介して上記の入場時刻情報を受信する（Ｓ００３）。そして、中央管理装置２０は、受信した入場時刻情報に組み込まれている作業者ＩＤを特定する（Ｓ００４）。その後、中央管理装置２０は、特定した作業者ＩＤがどの建設工事に参加している作業者Ｔの作業者ＩＤであるのかを、データベース部５０に記憶されている工事関係者情報Ｄ４から特定する。これにより、Ｍさんが参加している建設工事（以下、対象工事）が特定され、本ケースでは建設工事Ｘであると特定される（Ｓ００５）。
【００９５】
次に、中央管理装置２０は、データベース部５０に記憶されている工事内容情報Ｄ１のうち、対象工事である建設工事Ｘに関する工事内容情報Ｄ１、より厳密には、建設工事Ｘの工事スケジュールを読み出し、当日が工事初日であるかどうかを判定する（Ｓ００６）。そして、当日が工事初日であると判定した場合、中央管理装置２０は、前ステップで読み出した工事スケジュールから、Ｍさんが当日に行う作業（すなわち、実施対象作業）を特定し、具体的には作業Ｗ１であると特定する（Ｓ００７）。
【００９６】
他方、当日が工事初日ではないと判定した場合、中央管理装置２０は、図７に図示の手順にて当日の作業を特定する。具体的に説明すると、中央管理装置２０は、データベース部５０に記憶された施工内容情報Ｄ３のうち、前日にＭさんの作業者端末１０から送られた作業報告書（厳密には、建設工事Ｘの工事ＩＤと関連付けられた状態で送られた前回の作業報告書）を読み出す（Ｓ０１３）。なお、ステップＳ０１３が行われるということは、その前提として、Ｍさんがその前日の作業終了時刻に作業報告を行い、その内容をテキスト化した作業報告書が状況情報として作業者端末１０から送信されていることになる。
【００９７】
ステップＳ０１３の後、中央管理装置２０は、読み出した作業報告書から、建設工事Ｘにおいて前日に終了した作業を特定する（Ｓ０１４）。また、中央管理装置２０は、建設工事Ｘの工事スケジュールを再度読み出す（Ｓ０１５）。つまり、ステップＳ０１５では、ステップＳ０１３にて読み出した作業報告書（換言すると、前日に作業者端末１０から受信した作業報告書）と対応する建設工事に関する工事内容情報Ｄ１として、建設工事Ｘの工事スケジュールを読み出す処理を実行することになる。
【００９８】
そして、中央管理装置２０は、ステップＳ０１５で読み出した工事スケジュールと、ステップＳ０１４で特定した前日の作業と、に基づいて当日の作業（すなわち、実施対象作業）を特定する処理を実行する（Ｓ０１６）。例えば、前日の作業が仮に作業Ｗ１であった場合には、当日の作業が作業Ｗ２であると特定（判定）することになる。以上のように当日が工事初日ではない場合には、データベース部５０から読み出した工事スケジュール、及び、前日に作業者端末１０から受信した作業報告書の双方と関連付けられた作業を実施対象作業として特定する。
【００９９】
ステップＳ００７又はステップＳ０１６にて当日の作業を特定した後、中央管理装置２０は、データベース部５０に施工部材変更情報が記憶されているか否かを確認すると共に、建設工事Ｘの工事スケジュール及びこれにリンクした部材搬入予定日を参照する。これにより、中央管理装置２０は、当日の作業が変更後の施工部材を用いる作業であるか否かを判定する（Ｓ００８）。なお、変更後の施工部材とは、建設工事Ｘにおいて建設される住宅の施工部材として新たに採用されることになった部材、あるいは、従来使用されていた施工部材を改良した部材のことである。
【０１００】
そして、当日の作業が変更後の施工部材を用いる作業である場合、中央管理装置２０は、データベース部５０に記憶されている作業情報Ｄ５中、変更後の施工部材に関する作業支援情報、具体的には変更後の施工部材を用いる場合の標準施工要領書及び標準納まり情報をデータベース部５０から抽出する処理を実行する（Ｓ００９）。ここで、抽出される作業支援情報は、ステップＳ００７又はステップＳ０１６にて特定された当日の作業（実施対象作業）と対応する作業支援情報に該当する。
【０１０１】
その後、中央管理装置２０は、抽出した変更後の施工部材に関する作業支援情報を、Ｍさんが装着している作業者端末１０に向けて送信する処理を実行する（Ｓ０１０）。作業者端末１０は、中央管理装置２０から送信されてくる作業支援情報を受信すると（Ｓ０１１）、Ｍさんが装着しているヘッドマウントディスプレイ１１を制御し、受信した作業支援情報をヘッドマウントディスプレイ１１に表示させる（Ｓ０１２）。そして、ステップＳ０１２が終了した時点で作業開始時フローが終了する。
【０１０２】
以上の流れにて作業開始時フローが実施されることで、Ｍさんは、当日の作業の開始前、すなわち変更後の施工部材を用いて作業を行う前に当該作業の手順や方法、並びに変更後の施工部材を扱う際の注意点等を確認することが可能となる。また、当日が工事初日ではない場合には、前述したように、前日に受信した作業報告書が示す建設工事Ｘの進捗度合いに基づいて、当日（すなわち、作業報告書の受信時点の翌日）の作業を特定する。これにより、当日の作業に関する作業支援情報を提供する際には、建設工事の進捗度合いに応じて適切に作業支援情報を抽出して提供することが可能となる。
【０１０３】
なお、本実施形態では、ステップＳ００８において当日の作業が変更後の施工部材を用いる作業ではないと判断されると、その時点で作業開始時フローが終了することになっている。ただし、これに限定されるものではなく、当日の作業が変更後の施工部材を用いる作業ではない場合にも作業支援情報を提供してもよい。より詳しく説明すると、当日の作業が変更後の施工部材を用いる作業ではない場合には、先ず、当日の作業の作業ＩＤを特定する。その後、データベース部５０に記憶されている作業情報Ｄ５のうち、上記作業ＩＤと関連付けられた作業情報Ｄ５を抽出し、抽出した作業情報Ｄ５を当日の作業に関する作業支援情報として提供する。これにより、Ｍさんは、当日の作業が変更後の施工部材を用いる作業ではない場合にも作業開始前に当日の作業に関する手順や注意事項等を確認することが可能となる。
【０１０４】
（作業中フロー）
作業中フローの流れについて図８及び図９を参照しながら説明する。図８及び図９は、作業中フローの流れを示す図である。作業中フローは、Ｍさんが建設工事Ｘにおいて作業を行っている間、随時実施される。具体的に説明すると、本実施形態では、予め決められた時間間隔（例えば、１０秒間隔）で画像取得時間が設定されている。そして、Ｍさんが作業（実施対象作業）を行っている間、画像取得時間になる度に、Ｍさんが装着しているカメラ１２が作業の様子を撮影し、Ｍさんが装着している作業者端末１０がその画像情報を取得する（Ｓ０２１、Ｓ０２２）。
【０１０５】
そして、作業者端末１０は、画像情報を取得する都度、当該画像情報を状況情報として中央管理装置２０に向けて送信する（Ｓ０２３）。なお、送信される画像情報には、Ｍさんの作業者ＩＤ、及び、Ｍさんの現在位置（厳密には、Ｍさんが装着している作業者端末１０の現在位置）を示す位置情報が組み込まれている。
【０１０６】
中央管理装置２０は、通信網Ｉを通じて上記の画像情報を受信し、その後に当該画像情報を施工記録情報としてデータベース部５０に記憶させる（Ｓ０２４）。また、中央管理装置２０は、受信した画像情報に組み込まれている作業者ＩＤ及び位置情報を特定する（Ｓ０２５）。さらに、中央管理装置２０は、特定した作業者ＩＤがどの建設工事に参加している作業者Ｔの作業者ＩＤであるのかを、データベース部５０に記憶されている工事関係者情報Ｄ４から特定する。これにより、Ｍさんが参加している建設工事（以下、対象工事）が特定され、本ケースでは建設工事Ｘであると特定される（Ｓ０２６）。
【０１０７】
次に、中央管理装置２０は、データベース部５０に記憶されている工事内容情報Ｄ１のうち、対象工事である建設工事Ｘに関する工事内容情報Ｄ１、より厳密には、建設工事Ｘの工事スケジュール及び設計図面等を読み出す（Ｓ０２７）。つまり、ステップＳ０２７では、ステップＳ０２４にて受信した状況情報（画像情報）と対応する建設工事に関する工事内容情報Ｄ１として、建設工事Ｘの工事スケジュール及び設計図面等を読み出す処理を実行する。
【０１０８】
そして、中央管理装置２０は、ステップＳ０２７で読み出した建設工事Ｘの工事スケジュール及び設計図面等と、ステップＳ０２４で受信した画像情報と、に基づいて、Ｍさんが現在行っている作業（すなわち、実施対象作業）を特定する処理を実行する（Ｓ０２８）。具体的に説明すると、中央管理装置２０は、読み出した建設工事Ｘの工事スケジュールから、当日行われている作業を特定する。また、中央管理装置２０は、画像情報に組み込まれている位置情報と、読み出した建設工事Ｘの設計図面とに基づいて、建設現場におけるＭさんの作業場所を特定する。その後、中央管理装置２０は、当日行われる建設工事Ｘの作業のうち、Ｍさんが上記の作業場所で行っている作業を特定する。なお、以下では、ステップＳ０２８にて特定された作業が作業Ｗ２である場合を例に挙げて説明する。
【０１０９】
次に、中央管理装置２０は、データベース部５０に記憶されている工事関係者情報Ｄ４のうち、ステップＳ０２４にて受信した画像情報に組み込まれた作業者ＩＤと関連付けられている作業者情報（分かり易くは、Ｍさんの作業者情報）を読み出す（Ｓ０２９）。その後、中央管理装置２０は、読み出した作業者情報からＭさんの熟練度、より厳密には作業Ｗ２の経験回数を特定し、当該経験回数が基準値以下であるか否かを判定する（Ｓ０３０）。
【０１１０】
作業Ｗ２に関するＭさんの経験回数が基準値以下であると判定した場合、中央管理装置２０は、データベース部５０に記憶された過去の問合せ情報、不具合情報及び事故情報（以下、問合せ情報等）のうち、実施対象作業と同じ作業である作業Ｗ２についての問合せ情報等を集計する（Ｓ０３１）。その後、中央管理装置２０は、作業Ｗ２について過去に取得した問合せ情報等の集計数が所定数以上であるか否かを判定する（Ｓ０３２）。
【０１１１】
問合せ情報等の集計数が所定数以上であると判定した場合、中央管理装置２０は、データベース部５０に記憶された作業情報Ｄ５のうち、作業Ｗ２に関する標準納まり情報をデータベース部５０から抽出する処理を実行する（Ｓ０３３）。厳密に説明すると、中央管理装置２０は、作業Ｗ２の作業ＩＤと関連付けられた標準納まり情報を抽出する。ここで、抽出される標準納まり情報は、ステップＳ０２８で特定された現行の作業（すなわち、作業Ｗ２）と対応する作業支援情報に該当する。
【０１１２】
また、中央管理装置２０は、作業Ｗ２について過去に取得した画像情報、すなわち施工記録情報をデータベース部５０から抽出する処理を実行する（Ｓ０３４）。ここで、抽出される施工記録情報は、ステップＳ０２８で特定された現行の作業（すなわち、作業Ｗ２）と対応する作業支援情報に該当する。また、抽出した作業Ｗ２の施工記録情報には、それぞれ、過去に作業Ｗ２を行ったことがある作業者の作業ＩＤが関連付けられている。つまり、抽出した作業Ｗ２の各施工記録情報は、過去に作業Ｗ２を行ったことがある作業者Ｔの作業者情報と紐付けられていることになる。
【０１１３】
そして、中央管理装置２０は、ステップＳ０３４において抽出した作業Ｗ２の施工記録情報のうち、最も熟練度の高い作業者Ｔ（換言すると、作業Ｗ２の経験回数が最も多い作業者Ｔ）の作業者情報と紐付けられた施工記録情報を選定する（Ｓ０３５）。より具体的に説明すると、複数の作業者Ｔが過去に作業Ｗ２を行っていた場合、データベース部５０には、作業Ｗ２の施工記録情報が作業者Ｔ別に記憶されることになる。中央管理装置２０は、作業者Ｔ別に記憶された作業Ｗ２の施工記録情報の中から、予め設定された条件を満たす作業者Ｔの施工記録情報を送信候補の情報として選定する。本実施形態では、作業Ｗ２の経験回数が最も多い作業者Ｔの施工記録情報を送信候補として選定する。
【０１１４】
その後、中央管理装置２０は、ステップＳ０３３で抽出した作業Ｗ２の標準納まり情報と、ステップＳ０３５で選定した作業Ｗ２の施工記録情報と、を比較し、どちらがより優位な情報であるかを判定する（Ｓ０３６）。ステップＳ０３６について詳しく説明すると、中央管理装置２０は、作業Ｗ２を行う際の作業効率の観点で、標準納まり情報及び施工記録情報のうちのいずれの情報が提供すべき情報としてより適当であるかを判定する。
【０１１５】
より具体的に説明すると、中央管理装置２０は、ステップＳ０３３で抽出した標準納まり情報を解析することで、標準納まり情報が示す手順にて作業Ｗ２を行った場合の所要時間を特定する。また、中央管理装置２０は、ステップＳ０３５で選定した作業Ｗ２の施工記録情報から、当該施工記録情報が示す手順にて作業Ｗ２を行った場合の所要時間を特定する。厳密に説明すると、ステップＳ０３５で選定した作業Ｗ２の施工記録情報は、最も熟練度の高い作業者Ｔが実際に作業Ｗ２を行った際の様子を撮影した画像情報であり、当該画像情報は、作業中において一定の時間間隔毎（例えば、１０秒毎）に取得される。したがって、最も熟練度の高い作業者Ｔが作業Ｗ２を行っている間に取得された画像情報の数、すなわち施工記録情報の数を計数することにより、当該施工記録情報が示す手順に従って作業Ｗ２を行った場合の所要時間を算出することが可能となる。
【０１１６】
そして、ステップＳ０３３で抽出した標準納まり情報の方がより優位であると判定した場合、中央管理装置２０は、当該標準納まり情報を作業Ｗ２の作業支援情報としてＭさんの作業者端末１０に向けて送信する処理を実行する（Ｓ０３７）。他方、ステップＳ０３５で選定した施工記録情報の方がより優位であると判定した場合、中央管理装置２０は、当該施工記録情報を作業Ｗ２の作業支援情報として送信する処理を実行する（Ｓ０３８）。
【０１１７】
作業者端末１０は、中央管理装置２０から送信されてくる作業支援情報を受信すると（Ｓ０３９）、Ｍさんが装着しているヘッドマウントディスプレイ１１を制御し、受信した作業支援情報をヘッドマウントディスプレイ１１に表示させる（Ｓ０４０）。そして、ステップＳ０４０が終了した時点で作業中フローが終了する。
【０１１８】
以上の流れにて作業中フローが実施されることで、Ｍさんは、作業（実施対象作業）を行っている間に、当該作業の手順や方法並びに注意点等を確認することが可能となる。なお、本実施形態では、実施対象作業に関する作業支援情報を提供するにあたり、Ｍさんが過去に実施対象作業と同様の作業を行った経験回数が基準値以下であるかを判定し、基準値以下であると判定した場合に限って作業支援情報を提供することとした。これにより、作業支援情報の提供の要否を、当該作業支援情報の提供先である作業者Ｔの熟練度に応じて判断することが可能となる。すなわち、本実施形態において、作業中フローでは、習熟度が比較的に低い作業者Ｔに対して、当該作業者Ｔが現在行っている作業に関する作業支援情報を提供する。ただし、上記の内容に限定されるものではなく、作業を行っている作業者Ｔに対しては、その者の熟練度の高低に関係なく作業支援情報を提供してもよい。
【０１１９】
また、本実施形態では、実施対象作業に関する作業支援情報を提供するにあたり、当該作業に関する過去の問合せ情報等を集計し、その集計数が所定数以上である場合に限って当該作業の作業支援情報を提供することとした。これにより、実施対象作業が過去に問い合わせが多かった作業、あるいは過去に不具合や事故が頻発した作業等に該当するために作業者Ｔ（特に、習熟度が比較的に低い作業者Ｔ）に対して当該作業の手順や注意点等を指示する必要がある場合に、的確に指示を行うことが可能となる。ただし、上記の内容に限定されるものではなく、作業を行っている作業者Ｔに対しては、当該作業の内容や過去の問合せ情報等の数に関係なく作業支援情報を提供してもよい。
【０１２０】
また、本実施形態では、実施対象作業に関する作業支援情報の候補として当該実施対象作業の標準納まり情報及び施工記録情報の双方を抽出し、より優位ないずれか一方の情報（厳密には、作業効率の観点でより有用な情報）のみを提供することとした。これにより、実施対象作業を行っている作業者Ｔにとって、当該実施対象作業を効率よく行う上でより有用となる作業支援情報を提供することが可能となる。ただし、上記の内容に限定されるものではなく、標準納まり情報及び施工記録情報の双方を作業支援情報として提供してもよい。
【０１２１】
＜＜その他の実施形態＞＞
以上までに本発明の情報提供システム及び情報提供方法の具体例について説明してきたが、上記の実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【０１２２】
また、上記の実施形態では、中央管理装置２０とデータベース部５０とが、それぞれ別々のコンピュータによって構成されていることとしたが、これに限定されるものではない。中央管理装置２０の機能とデータベース部５０の機能とが共通のコンピュータによって実現されてもよい。
【０１２３】
また、上記の実施形態では、状況情報を取得するためのデバイスが作業者Ｔによって装着された状態で利用される機器であることとしたが、これに限定されるものではない。例えば、自律走行可能なロボットや移動体（飛行体）に上記のデバイスが搭載され、作業者Ｔが作業を行っている間、上記のロボットや移動体が作業現場を移動しながら上記のデバイスが状況情報を取得してもよい。
【符号の説明】
【０１２４】
１  本システム（情報提供システム）
１０  作業者端末
１１  ヘッドマウントディスプレイ
１２  カメラ
１３  マイク
２０  中央管理装置（通信装置）
３０  熟練者端末
４０  設計者端末
５０  データベース部（情報記憶部）
Ｉ  通信網
Ｄ１  工事内容情報（工事関連情報）
Ｄ２  立地環境情報
Ｄ３  施工内容情報
Ｄ４  工事関係者情報
Ｄ５  作業情報（作業支援情報）
Ｄ６  その他の情報
Ｔ  作業者
【図１】
0006716351.tif 000002
【図２】
0006716351.tif 000003
【図３】
0006716351.tif 000004
【図４】
0006716351.tif 000005
【図５】
0006716351.tif 000006
【図６】
0006716351.tif 000007
【図７】
0006716351.tif 000008
【図８】
0006716351.tif 000009
【図９】
0006716351.tif 000010